(57)【要約】【課題】  灰皿の交換、清掃作業の容易化を図り、遊技施設又は遊技者の要望に応じて灰皿とドリンクホルダを容易に選択、交換可能な遊技機を提供する。【解決手段】  本発明は、遊技機の前面側下部に設けられた遊技機用受け皿１８において、受け皿１８は、遊技媒体を貯留可能な皿部２４と、皿部２４の側方に設けられ、灰皿２７が着脱可能な灰皿収容部２８と、灰皿収容部２８の下方に設けられ、灰皿収容部２８から灰皿２７を取り外すことにより使用可能となる飲料用容器収容部３１とを備え、灰皿２７を支持する灰皿支持部４２，５２と飲料用容器２９，３０を支持する飲料用容器支持部４２，５２とが共用可能に形成されていることを特徴とする。【選択図】  図１
2005058380.tif 000002
【特許請求の範囲】
【請求項１】
遊技機の前面側下部に設けられた遊技機用受け皿において、該受け皿は、
遊技媒体を貯留可能な皿部と、
該皿部の側方に設けられ、灰皿が着脱可能な灰皿収容部と、
該灰皿収容部の下方に設けられ、該灰皿収容部から前記灰皿を取り外すことにより使用可能となる飲料用容器収容部と、
を備え、前記灰皿を支持する灰皿支持部と飲料用容器を支持する飲料用容器支持部とが共用可能に形成されていることを特徴とする遊技機。
【発明の詳細な説明】
【技術分野】
【０００１】
本発明は、遊技機の前面下部に位置する取り扱いの容易な物入れ体を備えたパチンコ遊技機やスロットマシン等の遊技機用受け皿に関する。
【背景技術】
【０００２】
従来から、パチンコ遊技機やスロットマシン等の遊技機の前面側下部に設けられた受け皿には、前面側下部に遊技用の球やコイン等の遊技媒体を貯留するための皿部が設けられ、その皿部の近傍には喫煙する遊技者のための灰皿が装備されている（例えば、特許文献１参照）。そして、通常、このような灰皿は前方に回動可能に設けられており、灰皿の清掃時には、この灰皿を前方に回動させ、灰皿内の灰や吸殻等を回収するようになっている。
【０００３】
【特許文献１】特開平４−５４９８５号公報
【発明の開示】
【発明が解決しようとする課題】
【０００４】
しかしながら、このような灰皿の機能を備えた従来の遊技機用受け皿では、遊技者が遊技中の場合には、遊技者が障害となって灰皿から灰や吸殻等をスムーズに回収することが困難であり、また、灰皿の清掃時に遊技者や清掃者に吸殻等が降りかかるおそれがあるといった問題が生じていた。
【０００５】
また、近年は、煙草の害が叫ばれている中、遊技者にも禁煙者や嫌煙者が増加しているため、遊技施設によっては禁煙コーナーを設けて分煙化を図っているところもあり、このような禁煙コーナーでは、遊技機に備えられた灰皿を使用させないように灰皿に蓋を取付けたり、シールを貼ったりしており、その作業に手間が掛かっていた。
【０００６】
さらに、このような禁煙コーナーを設置していない遊技施設でも、上記した吸殻処理等の問題により、遊技島に灰皿を別個に設置し、遊技機に備えられた灰皿を利用できないようにしている場合もあり、遊技機に備えられた灰皿が有効に利用されていなかった。
【０００７】
このような背景のもと、近年では、遊技機に灰皿を装備させず、その代わりに飲料用容器の置き台（ドリンクホルダともいう）を装備した遊技機が検討されているが、このように単に灰皿の代わりにドリンクホルダを備えた従来の遊技機では、灰皿を装備した従来の遊技機に慣れ親しんだ遊技施設や遊技者に違和感を与えるおそれがあり、また、灰皿とドリンクホルダ間の交換作業に手間が掛かるといった問題もあった。
【０００８】
本発明は、上記課題を解決すべくなされたものであり、灰皿の交換、清掃作業の容易化を図り、遊技施設又は遊技者の要望に応じて灰皿とドリンクホルダを容易に選択、交換可能な遊技機用受け皿を提供するものである。
【課題を解決するための手段】
【０００９】
本発明は、遊技機の前面側下部に設けられた遊技機用受け皿において、該受け皿は、遊技媒体を貯留可能な皿部と、該皿部の側方に設けられ、灰皿が着脱可能な灰皿収容部と、該灰皿収容部の下方に設けられ、該灰皿収容部から前記灰皿を取り外すことにより使用可能となる飲料用容器収容部とを備え、前記灰皿を支持する灰皿支持部と飲料用容器を支持する飲料用容器支持部とが共用可能に形成されていることを特徴とする。
【発明の効果】
【００１０】
本発明によれば、灰皿の交換、清掃作業の容易化を図ることができ、遊技施設又は遊技者の要望に応じて灰皿とドリンクホルダの選択、交換を容易に行うことが可能となる等種々の優れた効果を得ることができる。
【発明を実施するための最良の形態】
【００１１】
以下、図面を参照しつつ、本発明の実施の形態について説明する。以下の説明では、本発明に係る遊技機としてパチンコ遊技機を例にとって説明する。
【００１２】
図１は第１の実施の形態に係るパチンコ遊技機１の正面図を示しており、このパチンコ遊技機１は、方形枠状の外枠２と、外枠２の前面に設けられた前枠３とを備えており、前枠３は、外枠２の正面左側上下に設けられたヒンジ金具４，５により開閉可能に設けられていると共に、外枠２の正面右側に設けられた施錠具６により閉鎖状態が保持されるようになっている。また、前枠３内には、遊技盤７が収容され、遊技盤７の前面側には、図柄表示装置８、中央飾り９、始動入賞口１０、大入賞口１１等の各種遊技部品がそれぞれ配設され、遊技領域１２が形成されている。
【００１３】
前枠３の正面側には、前枠３に対して開閉且つ着脱可能にガラス扉１３が設けられ、ガラス扉１３にはガラス板１４が二重に装填され、ガラス扉１３により遊技領域１２の前面側が閉鎖された状態で保持されるようになっている。前枠３のガラス扉１３の下方には、上球受け皿１５が前方に突出して設けられ、上球受け皿１５には払い出された遊技球を貯留して整列させる上皿部１６と、上皿部１６内の遊技球を後述する下皿部２４に排出させるための球抜きレバー１７とが設けられている。前枠３の上球受け皿１５の下方には、下球受け皿１８が前方に突出して設けられ、下球受け皿１８の正面右側には発射ハンドル１９が前方に突出して設けられている。そして、発射ハンドル１９を時計回り方向に回動すると、上皿部１６から供給された遊技球が遊技領域１２に送出されるようになっている。また、パチンコ遊技機１の上方には、呼び出し釦２０が設けられ、呼び出し釦２０を押すと、呼び出しランプ２１が点灯し、係員に対して報知可能となっている。なお、呼び出し釦は、例えば、図１中において符号１００で示されているように、パチンコ遊技機１の他の所定の場所に設けてもよい。
【００１４】
次に、図１〜図８を参照しつつ、下球受け皿１８について説明する。
【００１５】
下球受け皿１８は、受け皿外装体２３と、遊技球を貯留可能な下皿部２４を備えた受け皿本体２５とから構成され、下皿部２４の正面左側の受け皿外装体２３には凹部２６が形成されている。そして、この凹部２６には、灰皿２７が着脱可能な灰皿収容部２８と、各種飲料用容器２９，３０を収容可能な飲料用容器収容部３１とが形成され、飲料用容器収容部３１は灰皿収容部２８の下方に形成され、灰皿収容部２８から灰皿２７を取り外すことにより使用可能となっている。また、下皿部２４と凹部２６との間には区画壁３２が受け皿外装体２３と一体に形成され、区画壁３２は灰皿収容部２８に装着された灰皿２７の頂部より高くなるように形成され、区画壁３２により灰皿２７から下皿部２４に灰が飛散するのを防止できると共に、下皿部２４と灰皿２７との間の遊技球の往来を抑制することができる。このため、例えば、遊技者が下皿部２４に貯留された遊技球を上皿部１６に持ち上げようとして下皿部２４から遊技球が溢れ出ても、溢れ出た遊技球が区画壁３２に阻止されて灰皿２７側に転落することがなく、また、灰皿２７側の煙草の灰が溢れて下皿部２４に混入し、遊技球が灰まみれになることもない。従って、遊技球を介して遊技機内部に運び込まれる灰の量を削減して２次的トラブルの発生を抑制することができる。また、区画壁３２は一定の幅を有し、前方に下傾して形成されているため、万が一、遊技球が区画壁３２の上面に乗ったとしても、その遊技球は前方に導かれて灰皿２７側に転落しにくい構成になっている。
【００１６】
灰皿２７の上面には、後側から吸殻受け部３３、煙草揉消し部３４がそれぞれ凹状に形成され、吸殻受け部３３は煙草揉消し部３４より深くなっている。吸殻受け部３３及び煙草揉消し部３４の周縁部５６は鍔状に延出し、周縁部５６には前側中央部分にＵ型溝状の煙草支持部３５が形成され、両側及び後側に周壁５７が立設されている。また、煙草揉消し部３４の下面には、鰭状の灰皿突起３６が下方に突出して設けられ、灰皿突起３６の前部にはさらに下方に突出する指掛け部２２が形成されている。指掛け部２２の突出長は、指掛け部２２の下端面が吸殻受け部３３の下面と同一平面上に位置するように設定されており、灰皿２７を平坦なテーブル面等に載置した時に、指掛け部２２が支持脚として機能し、灰皿２７が前後に傾いたりぐらついたりすることなく、安定姿勢で支持されるようになっている。灰皿突起３６の両側面には鉛直方向に係止リブ３７が突設され、係止リブ３７が後述する灰皿突起収容スリット４５に係止することにより灰皿２７の前方への移動が規制されるようになっている。さらに、灰皿２７の後面には、灰皿支持部係合部３８が後方に突出して設けられ、灰皿支持部係合部３８には係合凹部３９が形成されている。
【００１７】
灰皿収容部２８は、凹部２６の両側に段状に形成された灰皿支持台部４０と、凹部２６の前側底部４１に立設された灰皿突起係合部４２と、灰皿突起係合部４２の前方において底部４１の前端部に形成された指掛け用切欠部４３とを備えている。そして、各灰皿支持台部４０の両側上方にはそれぞれ鉛直面４４が形成され、鉛直面４４により灰皿支持台部４０に支持された灰皿２７の左右方向への移動が拘束されるようになっている。また、灰皿突起係合部４２の上端部には中央部に灰皿突起収容スリット４５が設けられ、灰皿突起収容スリット４５は灰皿２７の灰皿突起３６が嵌設可能且つ係止リブ３７が係止可能なように形成されている。
【００１８】
飲料用容器収容部３１の底部４１の中央部分には、円形凹状の小型飲料用容器収容部４６が形成され、灰皿２７を灰皿収容部２８から取り外すと、小型飲料用容器収容部４６に１９０ｃｃ〜２５０ｃｃの缶及び紙コップ等の小型飲料用容器２９が収容可能となっている。また、小型飲料用容器収容部４６の中央部には、４個の扇型開口部４７が放射状に設けられ、小型飲料用容器収容部４６内を洗浄した際に出る洗浄水等を容易に排出できるようになっている。さらに、各灰皿支持台部４０の内面側には小型飲料用容器収容部４６と同心円を成すように湾曲した飲料用容器側方支持部４８が形成され、底部４１に載置された３５０ｃｃの缶等の大型飲料用容器３０の側面を飲料用容器側方支持部４８により左右方向から支持可能となっている。また、灰皿突起係合部４２は小型飲料用容器収容部４６と同心円を成すように湾曲し、灰皿突起係合部４２の後面４９により、底部４１に載置された大型飲料用容器３０の側面を前側から支持可能となっている。このように、飲料用容器収容部３１は、灰皿２７を取り外すことにより使用可能となり、図１に示すように、飲料用収容部３１から上球受け皿１８までの高さＨの範囲内において、大小異なる大きさの飲料用容器２９，３０を収容可能なように構成されている。なお、図３中に想像線（２点鎖線）で示すように、底部４１の前端部の正面右側に仕切り壁５０を設け、コイン置き場５１を設置してもよい。
【００１９】
受け皿本体２５には、凹部２６に臨む鉛直面５８に、上方から灰皿支持部５２、飲料用容器支持部５３がそれぞれ前方に突出して形成されている。灰皿支持部５２はボス状を成し、灰皿２７の後面に設けられた灰皿支持部係合部３８の係合凹部３９に係合可能であると共に、飲料用容器収容部３１に収容された大型飲料用容器３０の側面を後側から支持可能となっている。飲料用容器支持部５３は横長板状を成し、その前端部は小型飲料用容器収容部４６と同心円を成すように湾曲し、大型飲料用容器３０の側面を後側から保持可能なように形成されている。また、受け皿本体２５の後面には、所要数の各種組付けスリーブ５４が突設され、これらの組付けスリーブ５４により受け皿本体２５が前枠３に組付けられるようになっている。さらに、図１に示されているように、受け皿本体２５の下皿部２４には下皿球抜きレバー５５が設けられ、下皿部２４が遊技球で満杯となった場合、下皿球抜きレバー５５を操作すると、下皿部２４の底面が開口し、下皿部２４内の遊技球を下方の別箱５９に排出できるようになっている。
【００２０】
次に、灰皿収容部２８に対する灰皿２７の着脱方法、及び飲料用容器３１に対する飲料用容器２９，３０の収容方法について説明する。
【００２１】
灰皿２７を灰皿収容部２８に装着する場合、図５の想像線及び図６（ａ）に示すように、灰皿２７の前端部を持ち上げ、灰皿２７を後方に傾斜させた姿勢で、灰皿支持部係合部３８の係合凹部３９に受け皿本体２５の灰皿支持部５２を係合させる。そして、灰皿２７の前端部を降下させ、灰皿２７の両側周縁部５６を灰皿支持台部４０に載置すると、図４、図５の実線及び図６（ｂ）に示すように、灰皿突起係合部４２の灰皿突起収容スリット４５に灰皿突起３６が嵌設すると共に係止リブ３７が係止し、灰皿２７の前方への動きが拘束される。また、灰皿２７の周壁５７の後側部分及び又は灰皿支持部係合部３８が鉛直面５８に当接することにより灰皿２７の後方への動きが拘束され、周壁５７の両側部分が両側鉛直面４４に当接、及び又は吸殻受け部３３及び煙草揉消し部３４の両外側面が灰皿支持台部４０の両側内面に当接することにより灰皿２７の側方への動きが拘束される。
【００２２】
また、灰皿２７を灰皿収容部２８から取り外す場合、指を指掛け用切欠部４３を通して指掛け部２２に掛け、灰皿２７の前端部を持ち上げる。そうすると、図６（ａ）に示すように、係止リブ３７と灰皿突起収容スリット４５との係合状態が解除されると共に、係合凹部３９と灰皿支持部５２との係合状態が解除され、灰皿２７は灰皿収容部２８から取り外される。
【００２３】
灰皿２７を灰皿収容部２８から取り外すと、凹部２６は飲料用容器収容部３１として使用することができ、図７及び図８に示されているように、小型飲料用容器２９は小型飲料用容器収容部４６に載置され、又、大型飲料用容器３０を底部４１に載置される。小型飲料用容器収容部４６は小型飲料用容器２９の外形に合わせて凹状に形成されているため、小型飲料用容器２９は小型飲料用容器収容部４６に安定性良く収容される。また、大型飲料用容器３０は、前側から灰皿突起係合部４２の後面４９により支持され、両側から飲料用容器側方支持部４８により支持され、さらに、後側から灰皿支持部５２及び飲料用容器支持部５３により支持されるため、安定性良く支持される。また、例え、凹部２６内に飲料水をこぼしたとしても、小型飲料用容器収容部４６に開口部４７が設けられているため、水洗いが可能となり、凹部２６内を清潔に保つことができると共に、清掃作業の簡素化、効率化を図ることができる。
【００２４】
次に、図９〜図１２を参照しつつ、本発明の第２の実施の形態について説明する。なお、説明の簡略化のため、上記した第１の実施の形態と同様の構成については、図９〜図１２において、図１〜図８中の符号と同一の符号を付し、その詳細な説明は省略する。
【００２５】
灰皿２７において、その周縁部５６の後側に立設された周壁５７は、その中央部が切欠され、灰皿支持部係合部６１が形成されている。また、煙草揉消し部３４の下面には、鰭状の灰皿突起６２が下方に突出して設けられ、灰皿突起６２は前後方向に二股状を成し、その中間部分に係止凹部６３が形成されている。
【００２６】
灰皿収容部２８の凹部２６には、前側底部４１に灰皿突起係合部６４が立設され、灰皿突起係合部６４の上端中央部に灰皿突起収容スリット６５が設けられ、灰皿突起収容スリット６５に係止凹部６３が係止可能となっている。灰皿突起係合部６４の灰皿突起収容スリット６５の両側には上端部から底部４１まで縦スリット６６が形成され、縦スリット６６により灰皿突起係合部６４の中央部分６７が前後方向に弾性変形し易いようになっている。
【００２７】
また、凹部２６の底部４１には、円形凹状の飲料用容器収容部６８が形成され、灰皿２７を灰皿収容部２８から取り外すと、飲料用容器収容部６８に飲料用容器３０が収容可能となっている。飲料用容器収容部６８の中央部には、８個の扇型開口部６９が放射状に設けられ、洗浄した際に出る洗浄水等を外部に容易に排出できるようになっている。また、各灰皿支持台部４０の内面側に形成された飲料用容器側方支持部４８の前方には灰皿・飲料用容器側方支持部７０が突設されている。灰皿・飲料用容器側方支持部７０は、灰皿収容部２８に収容された灰皿２７の周縁部５６の下面位置から飲料用容器収容部６８の底部７１まで鉛直方向に形成され、飲料用容器側方支持部４８及び灰皿・飲料用容器側方支持部７０により、飲料用容器収容部６８に収容された大型飲料用容器３０の側面を左右方向から支持可能となっている。なお、図１２では、飲料用容器収容部６８に大型飲料用容器３０が収容されている場合のみ示されているが、小型飲料用容器２９を収容することも可能である。このように、飲料用容器収容部６８は、灰皿２７を取り外すことにより使用可能となり、大小異なる大きさの飲料用容器２９，３０を収容可能なように構成されている。
【００２８】
受け皿本体２５には、凹部２６に臨む鉛直面５８の上端中央部に、横長形状の灰皿・飲料用容器支持部７２が前方に突出して形成され、灰皿・飲料用容器支持部７２は、灰皿支持部係合部６１に係合可能であると共に、飲料用容器収容部６８に収容された大型飲料用容器３０の側面を後側から支持可能となっている。
【００２９】
そして、灰皿２７を灰皿収容部２８に装着する場合、図１０及び図１１（ａ）に示すように、灰皿２７の前端部を持ち上げ、灰皿２７を後方に傾斜させた姿勢で、灰皿支持部係合部６１に灰皿・飲料用容器支持部７２を係合させる。そして、灰皿２７の前端部を降下させ、灰皿２７の両側周縁部５６を灰皿支持台部４０に載置させると、図１１（ｂ）に示すように、灰皿突起係合部６４の灰皿突起収容スリット６５に灰皿突起６２の係止凹部６３が係止し、灰皿２７の前方への動きが拘束される。また、灰皿２７の周壁５７の後側部分が鉛直面５８に当接することにより灰皿２７の後方への動きが拘束され、周壁５７の両側部分が両側鉛直面４４に当接、及び又は煙草揉消し部３４の両外側面が灰皿・飲料用容器側方支持部７０に当接することにより灰皿２７の側方への動きが拘束される。
【００３０】
また、灰皿２７を灰皿収容部２８から取り外す場合、指を指掛け用切欠部４３を通して灰皿突起６２の前端下部に掛け、灰皿２７の前端部を持ち上げると、図１１（ａ）に示すように、係止凹部６３と灰皿突起収容スリット６５との係合状態が解除されると共に、灰皿支持部係合部６１と灰皿・飲料用容器支持部７２との係合状態が解除され、灰皿２７は灰皿収容部２８から取り外される。
【００３１】
灰皿２７を灰皿収容部２８から取り外すと、凹部２６は飲料用容器収容部６８として使用することができる。図１２に示すように、飲料用容器収容部６８は大型飲料用容器３０の外形に合わせて凹状に形成され、また、大型飲料用容器３０は、前側から灰皿突起係合部６４により支持され、両側から灰皿・飲料用容器側方支持部７０により支持され、後側から灰皿・飲料用容器支持部７２により支持されるため、飲料用容器収容部６８に安定性良く収容される。そして、例え、凹部２６内に飲料水をこぼしたとしても、飲料用容器収容部６８に開口部６９が設けられているため、水洗いが可能となり、凹部２６内を清潔に保つことができると共に、清掃作業の簡素化、効率化を図ることができる。
【００３２】
このように、上記した第１及び第２実施の形態によれば、灰皿２７は、灰皿支持台部４０に載置させるだけで、前後左右方向への動きが拘束された状態で灰皿収容部２８に確実に装着され、しかも、その装着作業は容易且つ円滑に行うことができる。また、灰皿収容部２８に指掛け用切欠部４３が形成されていると共に、灰皿２７に指掛け部２２が下方に突出して形成されているため、灰皿２７の交換作業も容易且つ円滑に行うことができる。したがって、遊技者の遊技中に、灰皿２７を回収し、清掃後に再度装着させる場合、或いは、灰皿２７を予め取り外しておいて遊技者から呼び出し釦２０等により要求のあった場合に灰皿２７を装着させたり、又はその反対に灰皿２７を予め装着させておいて遊技者から呼び出し釦２０等により要求があった場合に灰皿２７を取り外したりする場合でも、灰皿２７の着脱作業を容易且つ円滑に行うことができるため作業効率の向上が図れ、灰皿２７の着脱作業時に遊技者に迷惑を掛けたり、不愉快な思いをさせることがない。また、灰皿２７は下皿部２４の正面左側に設けられているため、遊技施設の係員は遊技者の遊技を妨げることなく灰皿２７を回収し、遊技者の後方で吸殻をバケツ等に回収することができる。したがって、従来の回動形態の灰皿のように、回収操作を誤って吸殻や灰を周囲に撒き散らしてしまうようなことがなく、さらに灰皿２７を着脱する時の灰皿２７の傾き角が小さいため、収容された吸殻が灰皿２７の後方にこぼれ落ちる心配もない。また、日常の点検や盤面交換等において、灰皿２７の汚れがひどいような場合には灰皿２７を取り外して丸洗い洗浄をすることができ、損傷を受けているような場合には専門の営業者を呼ぶまでもなく営業時間中に灰皿２７を簡単に交換することができる。したがって、このような灰皿構造を備えることにより、遊技者及び遊技施設の双方にとって取り扱いが容易で快適な遊技環境を提供することができる。また、遊技施設が禁煙コーナーを設けて分煙化を図る場合にも、灰皿２７を容易に交換することができ、灰皿に蓋を取付けたり、シールを貼ったりする手間を掛ける必要がない。さらに、ドリンクホルダとして使用する場合には、小型飲料用容器２９及び大型飲料用容器３０をいずれも安定性良く支持することができる。したがって、遊技施設や遊技者のいろいろな要求に柔軟且つ容易且つ円滑に対応することができ、灰皿の清掃、交換等に要する人件費の低減化、遊技者に対するサービスの向上等を図ることができる。
【００３３】
なお、上記の実施の形態においては、パチンコ遊技機１について説明したが、これは単なる例示であり、本発明は、例えば、図１３に示すように、スロットマシン８１等の他の遊技機にも適用可能である。
【００３４】
また、灰皿２７は、予備用にもう１個用意しておき、灰皿２７が汚れたり、破損したりした場合に、予備灰皿と交換するようにしてもよい。この場合には、遊技中の遊技機であっても灰皿２７の交換作業をなお一層迅速且つ円滑に行うことができ、上記した効果をさらに高めることができる。
【図面の簡単な説明】
【００３５】
【図１】本発明の第１の実施の形態に係る遊技機を示す正面図である。
【図２】本発明の第１の実施の形態における下球受け皿を示す斜視図である。
【図３】本発明の第１の実施の形態における灰皿収容部から灰皿を取り外した状態を示す平面図である。
【図４】本発明の第１の実施の形態における灰皿収容部に灰皿を装着した状態を示す平面図である。
【図５】本発明の第１の実施の形態における灰皿収容部に灰皿を装着した状態を示す正面図である。
【図６（ａ）】本発明の第１の実施の形態における灰皿収容部に対する灰皿の着脱作業を示す断面図である。
【図６（ｂ）】本発明の第1の実施の形態における灰皿収容部に灰皿を装着した状態を示す断面図である。
【図７】本発明の第１の実施の形態における飲料用容器収容部に飲料用容器を収容した状態を示す断面図である。
【図８】本発明の第１の実施の形態における飲料用容器収容部に飲料用容器を収容した状態を示す断面図である。
【図９】本発明の第２の実施の形態における灰皿収容部から灰皿を取り外した状態を示す平面図である。
【図１０】本発明の第２の実施の形態における灰皿収容部に対する灰皿の着脱作業を示す正面図である。
【図１１（ａ）】本発明の第２の実施の形態における灰皿収容部に対する灰皿の着脱作業を示す断面図である。
【図１１（ｂ）】本発明は第２の実施の形態における灰皿収容部に灰皿を装着した状態を示す断面図である。
【図１２】本発明の第２の実施の形態における飲料用容器収容部に飲料用容器を収容した状態を示す断面図である。
【図１３】本発明を適用したスロットマシンを示す正面図である。
【符号の説明】
【００３６】
１          パチンコ遊技機
１８        下球受け皿
２４        下皿部
２７        灰皿
２８        灰皿収容部
２９        小型飲料用容器
３０        大型飲料用容器
３１        飲料用容器収容部
４２        灰皿突起係合部
５２        灰皿支持部
６４        灰皿突起係合部
６８        飲料用容器収容部
７０        灰皿・飲料用容器側方支持部
７２        灰皿・飲料用容器支持部
【図１】
2005058380.tif 000003
【図２】
2005058380.tif 000004
【図３】
2005058380.tif 000005
【図４】
2005058380.tif 000006
【図５】
2005058380.tif 000007
【図６（ａ）】
2005058380.tif 000008
【図６（ｂ）】
2005058380.tif 000009
【図７】
2005058380.tif 000010
【図８】
2005058380.tif 000011
【図９】
2005058380.tif 000012
【図１０】
2005058380.tif 000013
【図１１（ａ）】
2005058380.tif 000014
【図１１（ｂ）】
2005058380.tif 000015
【図１２】
2005058380.tif 000016
【図１３】
2005058380.tif 000017